(57)【要約】【課題】  車両走行時には運転の妨げとなる太陽光の眩しさを遮る「サンバイザー」として使用でき、駐停車時にはフロントウィンドから照りつける太陽光を遮って車内の温度上昇を抑制する「サンシェード」としても使用できるようにした車両用日除け装置を提供する。【解決手段】  車両用日除け装置Ａ１は、フロントウィンド２１全体を本質的に上部側から下部側まで覆うことができるスクリーン３と、スクリーン３を引き出し自在に巻き取ることができる巻取装置４を備えている。スクリーン３は、引き出した後に固定してスクリーン３の長さを無段階または複数段階に調整でき、これによりサンバイザーに代えてフロントウィンド２１の上部側を幅方向全体に渡って本質的に隙間なく覆うことができるように構成されている。【選択図】  図２
2007045188.tif 000002
【特許請求の範囲】
【請求項１】
フロントウィンド(21)全体を本質的に上部側から下部側まで覆うことができるスクリーン(3)と、該スクリーン(3)を引き出し自在に巻き取ることができる巻取装置(4)と、を備えた車両用日除け装置であって、
上記スクリーン(3)は、引き出した後に固定してスクリーン(3)の長さを無段階または複数段階に調整でき、これによりサンバイザーに代えてフロントウィンド(21)の上部側を幅方向全体に渡って本質的に隙間なく覆うことができるように構成されていることを特徴とする、
車両用日除け装置。
【請求項２】
フロントウィンド(21)全体を本質的に上部側から下部側まで覆うことができるスクリーン(3)と、該スクリーン(3)を引き出し自在に巻き取ることができる巻取装置(4)と、室内後写鏡(51)と、を備えた車両用日除け装置であって、
上記スクリーン(3)は、引き出した後に固定することでスクリーン(3)の長さを無段階または複数段階に調整でき、これによりサンバイザーに代えてフロントウィンド(21)の上部側を幅方向全体に渡って本質的に隙間なく覆うことができるように構成されており、
更にスクリーン(3)を引き出した際に、該スクリーン(3)で室内後写鏡(51)の鏡面を覆うことがないように、室内後写鏡(51)とフロントウィンド(21)の間をスクリーン(3)が通るように構成されているか、または室内後写鏡(51)よりもフロントウィンド(21)側でスクリーン(3)を引き出すことができるように構成されていることを特徴とする、
車両用日除け装置。
【請求項３】
フロントウィンド(21)全体を本質的に上部側から下部側まで覆うことができるスクリーン(3)と、該スクリーン(3)を引き出し自在に巻き取ることができる巻取装置(4)と、を備えた車両用日除け装置であって、
上記巻取装置(4)を収容する収容ケース(40)と、
該収容ケース(40)を車内に取り付ける取付部材(44)と、
上記収容ケース(40)に設けてある室内後写鏡(51)と、
を備えており、
上記スクリーン(3)は、引き出した後に固定することでスクリーン(3)の長さを無段階または複数段階に調整でき、これによりサンバイザーに代えてフロントウィンド(21)の上部側を幅方向全体に渡って本質的に隙間なく覆うことができるように構成されており、
更にスクリーン(3)を引き出した際に、該スクリーン(3)で室内後写鏡(51)の鏡面を覆うことがないように、室内後写鏡(51)とフロントウィンド(21)の間をスクリーン(3)が通るように構成されているか、または室内後写鏡(51)よりもフロントウィンド(21)側でスクリーン(3)を引き出すことができるように構成されていることを特徴とする、
車両用日除け装置。
【請求項４】
スクリーン(3)をフロントウィンド(21)側へ係止する係止部材(6)を有しており、
該係止部材(6)は、使用時にはフロントウィンド(21)の上部側から下方へ配置させた状態または伸ばした状態で設けることができ、不使用時には視界の邪魔にならない位置に移動させることができるように構成されていることを特徴とする、        
請求項１ないし３のいずれかに記載の車両用日除け装置。
【請求項５】
スクリーン(3)の幅方向に沿って設けてあり、車内側からスクリーン(3)をフロントウィンド側に押す当接部材(436)であり、該当接部材(436)はフロントウィンド(21)の幅方向に曲面に合わせて湾曲していることを特徴とする、
請求項１ないし３のいずれかに記載の車両用日除け装置。
【請求項６】
フロントウィンド(21)の左右両側にそれぞれ配置され、フロントウィンド(21)の上部側から下部側に向かって設けてある案内部材(7,7)と、
スクリーン(3)の下部両側にそれぞれ設けてあり、上記案内部材(7,7)に沿って移動する移動体(81,81)と、
を備えていることを特徴とする、
請求項１ないし３のいずれかに記載の車両用日除け装置。
【請求項７】
スクリーン(3)の左右両側にそれぞれ設けてある移動体(81,81)のうち、一方の移動体(81)と他方の移動体(81)の間隔は、フロントウィンド(21)の左右両側にそれぞれ配置され案内部材間(7,7)の距離に合わせて変化させることができるように構成されていることを特徴とする、
請求項６記載の車両用日除け装置。
【請求項８】
サンバイザーを取り外した後のサンバイザーを取り付ける取付要素(441)を利用して、車両用日除け装置を車両に取り付けることができるように構成されていることを特徴とする、
請求項１ないし７のいずれかに記載の車両用日除け装置。
【発明の詳細な説明】
【技術分野】
【０００１】
本発明は、車両用日除け装置に関する。
更に詳しくは、車両走行時には運転の妨げとなる太陽光の眩しさを遮る「サンバイザー」として使用でき、駐停車時にはフロントウィンドから照りつける太陽光を遮って車内の温度上昇を抑制する「サンシェード」としても使用できるようにした車両用日除け装置に関する。
【背景技術】
【０００２】
その日の天候などに左右されず、常に安全運転を心がけたいという思いは、すべてのドライバーに共通するものである。特に業務で車を運転しているトラック運送業等のドライバーは、晴れの日も雨の日も、常に細心の注意を払って安全運転に努めなければならない。
【０００３】
ところで、ドライバーの安全運転を妨げる要因としては、フロントウィンドから見える視界の悪さが大きく影響する。そして、視界の悪さは、雨天時や夜間時だけに限られるものではない。例えば雲一つない快晴の日であっても、フロントウィンド越しに照りつける太陽が目に入ると、ドライバーの視界は大きく妨げられる。特に真夏の炎天下や夕暮れ時に差し込む太陽光は非常にまぶしいものである。
【０００４】
通常、そのようなときは、フロントウィンドの上部側に設けてある「サンバイザー」を使用する。サンバイザーは長板状の日除けで可動式となっており、通常、室内後写鏡（「ルームミラー」とも称される）を挟むようにして左右両側にそれぞれ（合計で二箇所）設けてある。そして、サンバイザーを手前に倒すことで、フロントウィンドから照りつける日差しを遮ることができる。
【０００５】
一方、車を駐停車しての作業も多いトラック運送業等のドライバーにとって、真夏の炎天下での作業は過酷である。例えば炎天下で日の当たる場所に車を駐停車した場合、フロントウィンド越しに照りつける太陽によって、車内の温度は容易に５０℃を超える。この太陽光を遮るためのカー用品として、「サンシェード」と称される折畳み式の板状の日除けが挙げられる。
【０００６】
サンシェードは、フロントウィンドの内面側に立てかけて使用するものであり、厚紙やアルミ箔貼りの板状体で形成され、不使用時には折り畳んで車内に保管できるようになっている。よって、このサンシェードを配送作業中における駐停車時に使用すれば、作業を終えて車に戻るまでの車内温度の上昇を最小限に抑えることはできる。
【０００７】
しかしながら、上記したサンシェードは、通常、屋外の駐車場などに車を長時間停める際に使用するものである。よって、自宅の駐車場などに車を停めるときなどには好適であるが、トラック運送業等のドライバーにとっては、それほど実用的なものではなく、実際に使用しているドライバーは殆ど見受けられない。なぜなら、短時間の駐停車が多く、しかも配送時間の短縮を業務課題としているトラック運送業等のドライバーにとって、駐停車の度に開いたり畳んだりしなければならない従来のサンシェードは、その操作に手間がかかって使用が面倒だからである。
【０００８】
そこで、例えば特許文献１には、駐車時にサンシェードを簡単に取り出して設置することができる「車両用フロントサンシェード」が提案されている。これによれば、光を透過しない生地でサンシェードを作製し、それを巻取装置によってサンシェードを引き出し自在としたものである。更に巻取装置は、フロントウィンド上方に設けてある可動式のサンバイザーに取り付けてある。これをトラックのフロントウィンド上方等に設置すれば、サンシェードを使用する際の操作性を向上させることはできる。
【特許文献１】特開２０００−１６０７８号公報（第１図）
【発明の開示】
【発明が解決しようとする課題】
【０００９】
しかしながら、従来の可動式のサンバイザーでは以下のような課題があり、また特許文献１に記載の車両用フロントサンシェードを採用した場合にも、実用上、以下のような課題が発生するものと考えられる。
【００１０】
(1) 従来の「サンバイザー」（車両走行時）の欠点
通常、サンバイザーは、手前に倒した際にその端部が室内後写鏡に当たらないように、室内後写鏡との間に若干隙間が空くように取り付けてある。即ち、通常、左右両側に配置されるサンバイザーの間には若干の隙間が形成されており、走行時の時間帯によってはこの隙間から太陽が覗いてドライバーの視界を妨げることがあった。
【００１１】
また、従来のサンバイザーは、車内に差し込む日差しの角度に合わせて、傾斜角度をある程度調整することはできるものの、その自由度は十分とは言えなかった。即ち、例えば夕暮時に差し込む太陽光の角度はかなり低く、従来のサンバイザーではフロントウィンドの上部側しか覆うことができず、十分に対応できなかった。更にドライバーの身長も様々であり、背が低いドライバーにとっては、完全にサンバイザーを倒したとしても日差しを十分に遮ることができないといった構造上の問題があった。
【００１２】
このように運転時の視界を十分に守ることができないサンバイザーの欠点は、トラック運送業等といった特に車を一日中運転しているようなドライバーにとっては重要なことであり、簡単に妥協できるものではない。
【００１３】
(2) 特許文献１記載の「サンシェード」（駐停車時）を採用した場合
特許文献１に記載のサンシェードは、そもそも既存のサンバイザーに取付けられており、それ自体をサンバイザーとして使用することを想定していない。
【００１４】
更に通常、サンバイザーは走行中でも安全に操作できるように軽量化が図られているが、上記したように可動式のサンバイザーにサンシェードの巻取装置が取り付けてあるので、サンバイザー自体の重量が重くなる。このため、走行中のサンバイザーの操作性が悪くなるばかりか、走行中の振動等によってサンバイザーが自然に手前に倒れてくる恐れがある。その結果、運転への集中力が低下して、前方不注意や認知の遅れなどの危険な状況に陥る恐れがある。
【００１５】
また、特許文献１記載のものは第１図に示すように、巻取装置の収納ケースがサンバイザーから室内後写鏡へはみ出して設けてあるため、走行中にサンバイザーを操作すると、
収納ケースの端部が室内後写鏡にあたって室内後写鏡が一部隠れたり、傾く恐れがある。そうなると、車両後方の視認に支障をきたし、安全な運転ができない恐れがある。
【００１６】
以上説明したように、従来のサンバイザーは、太陽光を遮るという本来の機能が十分とは言えなかった。また特許文献１に記載のサンシェードを採用した場合についても、そのサンシェードが既存のサンバイザーに取り付けてあるため、既存のサンバイザーの操作性や室内後写鏡の視認性の悪化など運転時の安全性の面で十分とは言えなかった。
【００１７】
そこで、本発明者は、フロントウィンドを覆うことができる同じスクリーンに「サンバイザー」（車両走行時）と「サンシェード」（駐停車時）の二つの機能を備えさせることができないか、という発想のもとに鋭意研究を進めた。その結果、上記したような課題を解決できる車両用日除け装置を完成するに至った。
【００１８】
（本発明の目的）                   
そこで本発明の目的は、車両走行時には運転の妨げとなる太陽光の眩しさを遮る「サンバイザー」として使用でき、駐停車時にはフロントウィンドから照りつける太陽光を遮って車内の温度上昇を抑制する「サンシェード」としても使用できるようにした車両用日除け装置を提供することにある。
【００１９】
また本発明の他の目的は、車両走行時に運転の妨げとなる太陽光の眩しさをより確実に遮るという「サンバイザー」の本来の機能をより高めた車両用日除け装置を提供することにある。
【００２０】
更に本発明の他の目的は、駐停車時には車内の温度上昇を抑制する「サンシェード」として使用できるにも関わらず、「サンバイザー」として使用した際の操作性にも優れた車両用日除け装置を提供することにある。
【００２１】
また更に本発明の他の目的は、スクリーンの操作時に室内後写鏡の視認性を悪化させないようにすることによって、走行時の安全性を確保した車両用日除け装置を提供することにある。
【００２２】
本発明の他の目的は、走行時にスクリーンを引き出して「サンバイザー」として使用した際に、スクリーンが運転の邪魔になることを防止できるようにした車両用日除け装置を提供することにある。
その他の本発明の目的は以下の説明から明らかになろう。
【課題を解決するための手段】
【００２３】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【００２４】
第１の発明にあっては、
フロントウィンド(21)全体を本質的に上部側から下部側まで覆うことができるスクリーン(3)と、該スクリーン(3)を引き出し自在に巻き取ることができる巻取装置(4)と、を備えた車両用日除け装置であって、
上記スクリーン(3)は、引き出した後に固定してスクリーン(3)の長さを無段階または複数段階に調整でき、これによりサンバイザーに代えてフロントウィンド(21)の上部側を幅方向全体に渡って本質的に隙間なく覆うことができるように構成されていることを特徴とする、
車両用日除け装置である。
【００２５】
第２の発明にあっては、
フロントウィンド(21)全体を本質的に上部側から下部側まで覆うことができるスクリーン(3)と、該スクリーン(3)を引き出し自在に巻き取ることができる巻取装置(4)と、室内後写鏡(51)と、を備えた車両用日除け装置であって、
上記スクリーン(3)は、引き出した後に固定することでスクリーン(3)の長さを無段階または複数段階に調整でき、これによりサンバイザーに代えてフロントウィンド(21)の上部側を幅方向全体に渡って本質的に隙間なく覆うことができるように構成されており、
更にスクリーン(3)を引き出した際に、該スクリーン(3)で室内後写鏡(51)の鏡面を覆うことがないように、室内後写鏡(51)とフロントウィンド(21)の間をスクリーン(3)が通るように構成されているか、または室内後写鏡(51)よりもフロントウィンド(21)側でスクリーン(3)を引き出すことができるように構成されていることを特徴とする、
車両用日除け装置である。
【００２６】
第３の発明にあっては、
フロントウィンド(21)全体を本質的に上部側から下部側まで覆うことができるスクリーン(3)と、該スクリーン(3)を引き出し自在に巻き取ることができる巻取装置(4)と、を備えた車両用日除け装置であって、
上記巻取装置(4)を収容する収容ケース(40)と、
該収容ケース(40)を車内に取り付ける取付部材(44)と、
上記収容ケース(40)に設けてある室内後写鏡(51)と、
を備えており、
上記スクリーン(3)は、引き出した後に固定することでスクリーン(3)の長さを無段階または複数段階に調整でき、これによりサンバイザーに代えてフロントウィンド(21)の上部側を幅方向全体に渡って本質的に隙間なく覆うことができるように構成されており、
更にスクリーン(3)を引き出した際に、該スクリーン(3)で室内後写鏡(51)の鏡面を覆うことがないように、室内後写鏡(51)とフロントウィンド(21)の間をスクリーン(3)が通るように構成されているか、または室内後写鏡(51)よりもフロントウィンド(21)側でスクリーン(3)を引き出すことができるように構成されていることを特徴とする、
車両用日除け装置である。
【００２７】
第４の発明にあっては、
スクリーン(3)をフロントウィンド(21)側へ係止する係止部材(6)を有しており、
該係止部材(6)は、使用時にはフロントウィンド(21)の上部側から下方へ配置させた状態または伸ばした状態で設けることができ、不使用時には視界の邪魔にならない位置に移動させることができるように構成されていることを特徴とする、        
第１ないし第３の発明のいずれかに係る記載の車両用日除け装置である。
【００２８】
第５の発明にあっては、
スクリーン(3)の幅方向に沿って設けてあり、車内側からスクリーン(3)をフロントウィンド側に押す当接部材(436)であり、該当接部材(436)はフロントウィンド(21)の幅方向に曲面に合わせて湾曲していることを特徴とする、
第１ないし第３の発明のいずれかに係る記載の車両用日除け装置である。
【００２９】
第６の発明にあっては、
フロントウィンド(21)の左右両側にそれぞれ配置され、フロントウィンド(21)の上部側から下部側に向かって設けてある案内部材(7,7)と、
スクリーン(3)の下部両側にそれぞれ設けてあり、上記案内部材(7,7)に沿って移動する移動体(81,81)と、
を備えていることを特徴とする、
第１ないし第３の発明のいずれかに係る記載の車両用日除け装置である。
【００３０】
第７の発明にあっては、
スクリーン(3)の左右両側にそれぞれ設けてある移動体(81,81)のうち、一方の移動体(81)と他方の移動体(81)の間隔は、フロントウィンド(21)の左右両側にそれぞれ配置され案内部材間(7,7)の距離に合わせて変化させることができるように構成されていることを特徴とする、
第６の発明に係る車両用日除け装置である。
【００３１】
第８の発明にあっては、
サンバイザーを取り外した後のサンバイザーを取り付ける取付要素(441)を利用して、車両用日除け装置を車両に取り付けることができるように構成されていることを特徴とする、
第１ないし第７の発明のいずれかに係る記載の車両用日除け装置である。
【００３２】
（作  用）
本発明に係る車両用日除け装置は次のように作用する。
即ち、駐停車時にフロントウィンド(21)から照りつける太陽光を遮って車内の温度上昇を抑制する「サンシェード」として使用する場合は、スクリーン(3)を巻取装置(4)から引き出し、スクリーン(3)で本質的にフロントウィンド(21)全体を上部側から下部側まで覆う。また、不使用時にはスクリーン(3)を巻取装置(4)に巻き取るようにする。
【００３３】
一方、車両走行時に運転の妨げとなる太陽光の眩しさを遮る「サンバイザー」として使用する場合は、引き出した後に固定してスクリーン(3)の長さを無段階または複数段階に調整することによって、フロントウィンド(21)の上部側を幅方向全体に渡って本質的に隙間なく覆う。
【００３４】
また室内後写鏡(51)とフロントウィンド(21)の間をスクリーン(3)が通るように構成されているか、または室内後写鏡(51)よりもフロントウィンド(21)側でスクリーン(3)を引き出すことができるように構成されているものは、スクリーン(3)を引き出した際に該スクリーン(3)で室内後写鏡の鏡面を覆うことがない。したがって、スクリーンの使用時に室内後写鏡の視認性を悪化させるようなことはない。
【００３５】
スクリーン(3)をフロントウィンド(21)側へ係止する係止部材(6)を有しているものは、使用時にはフロントウィンド(21)の上部側から下方へ配置させた状態または伸ばした状態で設ける。そして、係止部材(6)でスクリーン(3)をフロントウィンド側に係止する。また、不使用時には、運転の邪魔にならないように、係止部材(6)を視界の邪魔にならない位置に移動させる。
【００３６】
フロントウィンド(21)の左右両側にそれぞれ配置され、フロントウィンド(21)の上部側から下部側に向かって設けてある案内部材(7,7)と、スクリーン(3)の下部両側にそれぞれ設けてあり、上記案内部材(7,7)に沿って移動する移動体(81,81)と、を備えているものは、次のように作用する。
即ち、巻取装置(4)からスクリーン(3)を引き出せば、スクリーン(3)の下部両側に設けてある移動体(81,81)がフロントウィンド(21)の左右両側にそれぞれ配置された案内部材(7,7)に案内される。これによって、スクリーン(3)を常にフロントウィンド(21)側へ案内することができる。
【００３７】
また、スクリーン(3)の左右両側にそれぞれ設けてある移動体(81,81)のうち、一方の移動体(81)と他方の移動体(81)の間隔は、フロントウィンド(21)の左右両側にそれぞれ配置されている案内部材間(7,7)の距離に合わせて変化させることができるように構成されているものは、次のように作用する。
即ち、巻取装置(4)からスクリーン(3)を引き出せば、スクリーン(3)の左右両側にそれぞれ設けてある移動体(81,81)のうち、一方の移動体(81)と他方の移動体(81)の間隔がフロントウィンド(21)の左右両側にそれぞれ配置されている案内部材間(7,7)の距離に合わせて変化する。これにより、フロントウィンド(21)の幅が変化しても、スクリーン(3)を常にフロントウィンド(21)側へ案内することができる。
【００３８】
サンバイザーを取り外した後のサンバイザーを取り付ける取付要素(441)を利用して、車両用日除け装置を車両に取り付けることができるように構成されているものは、次のように作用する。
従来のサンバイザーを備えた車両に以下のようにして車両用日除け装置を取り付ける。
即ち、車両（運転席上方）から既存のサンバイザーを取り外せば、通常、サンバイザー取り付け用の孔等の取付要素(441)が残る。よって、この孔を利用して、車両用日除け装置を取り付ける。このようにすれば、車両（天井部等）に新たに取付要素を設ける必要がない。特に取付要素(441)が孔であれば、その孔を隠すことができ見た目も良い。
【発明の効果】
【００３９】
本発明は上記構成を備え、次の効果を有する。
（ａ）本発明によれば、車両走行時に太陽光を眩しく感じた場合に、スクリーンの引き出す長さを調整してフロントウィンドの上部側を覆うようにすれば、スクリーンを「サンバイザー」として使用することができる。また例えば真夏の炎天下で駐停車する場合に、スクリーンで本質的にフロントウィンド全体を上部側から下部側まで覆うようにすれば、スクリーンを「サンシェード」としても使用することができる。
このように、本発明は、車両走行時には運転の妨げとなる太陽光の眩しさを遮る「サンバイザー」として使用できると共に、駐停車時にはフロントウィンドから照りつける太陽光を遮って車内の温度上昇を抑制する「サンシェード」としても使用できる。
【００４０】
（ｂ）また本発明によれば、スクリーンを所要の位置まで引き出して「サンバイザー」として使用した場合は、スクリーンでフロントウィンドの上部側を幅方向全体に渡って本質的に隙間なく覆うことができる。このように、左右両側に配置されたサンバイザーの間に若干の隙間があった従来のサンバイザーと相違して、太陽光をより確実に遮ることができる。
更に、スクリーンは本質的にフロントウィンド全体の上部側から下部側まで覆うことができる。よって、スクリーンの引き出す長さを適宜調整すれば、太陽光の角度が低い夕暮れ時等にも対応でき、また背が低いドライバーでも好適に使用できる。
このように、本発明は、車両走行時に運転の妨げとなる太陽光の眩しさをより確実に遮るという「サンバイザー」の本来の機能がより高められた装置である。
【００４１】
（ｃ）更に本発明では、上記したように「サンバイザー」として使用する場合は、単に巻取装置からスクリーンを引き出すだけで良いので、走行中であってもその操作性は良い。また、そもそも従来のサンバイザーは不要であるので、走行中にサンバイザーが自然に手前に倒れてくるようなことはなく、運転に集中できる。これに対し、特許文献１記載のものは、巻取装置が取付けられたサンバイザーが相当の重量を有しているため、走行中のサンバイザーの操作性が悪く、また走行中の振動等によってサンバイザーが自然に手前に倒れてくる恐れがあった。このように、本発明は特許文献１記載のものと比べて、スクリーンをサンバイザーとして使用する際の操作性が良く、また運転にも集中することができる。
【００４２】
（ｄ）スクリーンを引き出した際に、該スクリーンで室内後写鏡の鏡面を覆うことがないように、室内後写鏡とフロントウィンドの間をスクリーンが通るように構成されているか、または室内後写鏡よりもフロントウィンド側でスクリーンを引き出すことができるように構成されているものは、室内後写鏡の鏡面がスクリーンで覆われることがないので、スクリーンの使用時に室内後写鏡の視認に支障をきたすようなことはない。
【００４３】
（ｅ）スクリーンをフロントウィンド側へ係止する係止部材を有しているものでは、係止部材によりスクリーンをフロントウィンド側へ係止することで、走行時に車体の揺れなどによってスクリーンが運転席側へ揺れ動いてしまうことを防止できる。これにより、スクリーンを走行時に「サンバイザー」として使用した際に、スクリーンが運転の邪魔になることを防止できる。また、スクリーンの不使用時には、係止部材を視界の邪魔にならない位置に移動させるようにすることで、係止部材が運転の邪魔になることを防止できる。
【００４４】
（ｆ）スクリーンの幅方向に沿って設けてあり、車内側からスクリーンをフロントウィンド側に押す当接部材を備えているものは、当接部材によりスクリーンをフロントウィンド側へ押すことにより、走行時に車体の揺れなどによってスクリーンが運転席側へ揺れ動いてしまうことを防止できる。また、当接部材がフロントウィンドの幅方向に曲面に合わせて湾曲しているので、車種によってフロントウィンドの湾曲率が異なるものでも、スクリーンをできる限りフロントウィンドへ近づけることができる。
【００４５】
（ｇ）フロントウィンドの左右両側にそれぞれ配置され、フロントウィンドの上部側から下部側に向かって設けてある案内部材と、スクリーンの下部両側にそれぞれ設けてあり、上記案内部材に沿って移動する移動体と、を備えているものは、スクリーンを常にフロントウィンド側へ案内することができる。これにより、走行時に車体の揺れなどによってスクリーンが運転席側へ揺れ動いてしまうことを防止できる。
【００４６】
（ｈ）案内部材と移動体を備え、移動体のうち、一方の移動体と他方の移動体の間隔がフロントウィンドの左右両側にそれぞれ配置されている案内部材間の距離に合わせて変化させることができるようにものでは、車種によってフロントウィンドの幅が変化するようなものであっても、スクリーンを常にフロントウィンド側へ案内することができる。これにより、走行時に車体の揺れなどによってスクリーンが運転席側へ揺れ動いてしまうことを防止できる。
【００４７】
（ｉ）サンバイザーを取り外した後のサンバイザーを取り付ける取付要素を利用して、車両用日除け装置を車両に取り付けることができるように構成されているものは、車両に車両用日除け装置用の取付要素を新たに設ける必要がない。よって、例えば取付要素が孔であれば、その孔を隠すことができるので、見た目も良い。
【発明を実施するための最良の形態】
【００４８】
以下、本発明を実施例により説明するが、本発明はこれらに限定されるものではない。
【００４９】
本発明を図面に示した実施例に基づき更に詳細に説明する。
【実施例１】
【００５０】
図１ないし図５は、本発明に係る車両用日除け装置の第１の実施例を示す説明図である。
なお、本実施例では、車両用日除け装置をトラックの車内に取り付けた場合を例に挙げて表しているが、特に車種には限定されない。
【００５１】
図１は、車内に取り付けた車両用日除け装置を車両正面側から見た説明図であり、車両を一点鎖線で示している。
図１(ａ)は車両走行時に「サンバイザー」としてスクリーンを使用している状態を示し、
図１(ｂ)は駐停車時に「サンシェード」としてスクリーンを使用している状態を示している。
【００５２】
図２は、車内に取り付けた車両用日除け装置を断面して内部構造を表した側面視説明図であり、運転席を含む車両の一部を二点鎖線で示している
【００５３】
図１及び図２に示すように、車両用日除け装置１Ａは、上部側からフロントウィンド２１全体を本質的に覆うことができるスクリーン３と、スクリーン３を引き出し自在に巻き取ることができる巻取装置４とを備えている。スクリーン３は、太陽光を遮ることができる素材で形成されている。図２で符号２０はハンドルを示している。
【００５４】
以下、車両用日除け装置１Ａの各構成部材について、順を追って詳しく説明する。
図３は、図２に示す車両用日除け装置の拡大側面視説明図である。
図４は、収容ケースに収容されたスクリーンを示す概略斜視説明図であり、全体構造が分かりやすいように収容ケースの長手方向の長さを短く誇張して表している。
なお、図４では主にスクリーンを実線で示し、それ以外を一点鎖線で示している。
【００５５】
図３及び図４に示すように、巻取装置４は箱形の収容ケース４０内に収容されている。そして、巻取装置４は巻取軸４１を有し、巻取軸４１に巻き取られたスクリーン３のロール体３０が収容ケース４０内に引き出し自在に収容されている。
【００５６】
巻取装置４は、既存のロールスクリーンのクラッチ構造と同じものが採用されている。これにより、スクリーン３を手で抑えたり、他の部材で係止したりするといった外力を加えなくても、巻取軸４１から引き出したスクリーン３を所要の位置で（所望の位置に）止めておくことができる。このクラッチ構造は、引き出すスクリーン３の長さを調整することによってフロントウィンド２１を部分的に覆うことができるようにする引き出し長さ調整要素を構成している。
【００５７】
即ち、このクラッチ構造の作用により、スクリーン３を引き出した後の静止状態ではその長さでスクリーン３は保持される。そして、スクリーン３を勢い良く下げるとそのショックでクラッチ構造が作用して巻取軸４１が自由に回るようになり、手を離せば自動的にスクリーン３が巻取軸４１に素早く巻き取られる。
【００５８】
なお、スクリーン３の下端部までがすべて巻取装置４に巻き取られないように、スクリーン３の下端部は、ある程度引出口４２から引き出された状態で止まるように構成されている。上記したように、このクラッチ構造については公知技術を採用しているので、その詳細な説明は省略する。
【００５９】
収容ケース４０は側面視で断面略コ状に形成され、正面側の開口部側にフラップ４３を備えている。収容ケース４０は、フロントウィンド２１全体を本質的に覆うことができる大きさのスクリーン３のロール体３０を収容できる大きさで形成されている。収容ケース４０の正面側とフラップ４３の間に設けてある空間部（隙間）が、スクリーン３を引き出す引出口４２を構成している。
【００６０】
図５は車両用日除け装置の拡大説明図であり、図５(ａ)は車両用日除け装置の正面視説明図、図５(ｂ)は車両用日除け装置の平面視説明図、図５(ｃ)は車両用日除け装置の背面視説明図を示している。なお、図５(ｃ)では引き出したスクリーンを二点鎖線で表している。
【００６１】
図３に示すように、収容ケース４０の上面側には、収容ケース４０を車内に取り付ける取付部材である取付金具４４が設けてある。本実施例では、図１(ａ)及び図５(ａ)に示すように、取付金具４４は、収容ケース４０の長さ方向に所要の間隔をおいて所要数（本実施例では複数、二箇所）配置されている。そして、図３に示すように、この取付金具４４により、収容ケース４０をフロントウィンド２１寄りの天井部２２（屋根内面）に取り付けることができる。
【００６２】
取付金具４４の一端側には、車内に固定できるネジやビス等の締付固定具４４１が設けてある。締付固定具４４１を固定する孔２２１は天井部２２に新たに開けることもできるが、当初、車内に取り付けてあった既存のサンバイザーを取り外した後の取付孔（取付要素）を利用することもできる。このようにすれば、天井部２２等に新たに孔を開ける必要がなく、また既存のサンバイザーを取り外した後の取付孔も隠すことができるので、見た目も良い。
【００６３】
図３、図４（一点鎖線で示す）及び図５(ｂ)に示すように、収容ケース４０の上面には、案内部材であるスライドフレーム４５が収容ケース４０の長さ方向に沿って設けてある。スライドフレーム４５は断面略コ状に形成され、上部側にスライド溝４５１を有している。
【００６４】
図３に示すように、このスライド溝４５１に取付金具４４の他端側に設けてある可動体４４２がスライド可能に嵌め入れられている。取付金具４４は、このスライドフレーム４５によって収容ケース４０の長さ方向に沿ってその位置を調整できる。可動体４４２はボルトの頭部で構成されており、ボルトのネジ部に取り付けてあるナット４４３を締め付けることによって、スライド溝４５１に対する取付金具４４の位置を固定できる。
【００６５】
取付金具４４は、一端側と他端側が角度調整軸４４０を介して連結されており、角度調整軸４４０により側面視で略「く」の字状に一端側と他端側の角度を調整できる。これにより、フロントウィンド２１に対する収容ケース４０の前後方向の位置や傾斜角度などの微調整が可能となっている。
【００６６】
図３に示すように、収容ケース４０の底面には室内後写鏡５１が設けてある。室内後写鏡５１は軸ピン５１１により角度調整ができる。収容ケース４０の背面側（図３で紙面左側、車内側）には室内灯５２が設けている。符号５２１は室内灯５２のスイッチを示している。
【００６７】
上記したように、収容ケース４０の正面側（開口部側）には、ほぼ開口部全体（開口部の下部側以外）を覆うようにしてフラップ４３が設けてある。図４に示すように、フラップ４３は正面板４３１、左側面板４３２及び右側面板４３３を備え、正面板４３１はフロントウィンド２１の幅方向の曲面に合わせてやや湾曲させてある。
【００６８】
フラップ４３（図３参照）は、その上端縁に設けてある回動軸であるフラップ角度調整軸４３４を支点として、基部側の傾斜角度を調整できる。これにより、フロントウィンド２１の高さ方向の傾斜角度や収容ケース４０の位置などに応じてフラップ４３の角度を調整できる。
【００６９】
図４に示すように、フラップ角度調整軸４３４は、フラップ４３の左側面板４３２と右側面板４３３の間に掛け渡すようにして配置されている。フラップ角度調整軸４３４の両端部は、フラップ４３の右側面板４３３及び左側面板４３２を貫通して収容ケース４０の右側面板４３３及び左側面板４３２の内方の孔（図示省略）にややきつく嵌め込んだ状態で回動可能に取り付けてある。そして、やや力を入れてフラップ４３を前後させることにより、その角度を調整できるようになっている。
【００７０】
フラップ角度調整軸４３４の周面部には、案内部材である管状のガイドローラ４３５が回動自在に嵌め込まれている。更に、フラップ４３の下部側寄りの内面側には、弓状に湾曲して形成された棒状の当接部材である弓状ガイド体４３６が設けてある。
【００７１】
ガイドローラ４３５と同様に、弓状ガイド体４３６はフラップ４３の右側面板４３３と左側面板４３２の間に掛け渡すように設けてある。また、前方に湾曲している部分がフラップ４３の下部側、つまり車内に設置した際のフロントウィンド２１側に向くように取り付けてある。
【００７２】
弓状ガイド体４３６は、フラップ４３の正面板４３１と同様に、フロントウィンド２１の幅方向に曲面に合わせて湾曲させてある。弓状ガイド体４３６は、フラップ角度調整軸４３４のガイドローラ４３５よりも正面側（フロントウィンド２１側）に位置している。
【００７３】
そうして、図３に示すように、収容ケース４０内に収容されたロール体３０から繰り出されるスクリーン３は、ガイドローラ４３５の上部側に回し掛けられ、更に弓状ガイド体４３６に掛けられて収容ケース４０とフラップ４３の間の引出口４２から下方へ引き出されている。
【００７４】
なお、弓状ガイド体４３６にはスクリーン３を引っ張って上げ下げする際にテンションがかかるため、そのテンションを上手く吸収できるように、弓状ガイド体４３６を柔軟性、可撓性または変形性を有する素材（例えば合成樹脂、ゴムあるいは金属）で形成することもできる。
【００７５】
上記したように、フラップ４３は上端側に設けてあるフラップ角度調整軸４３４を支点としてその傾斜角度を調整できる。したがって、フラップ４３の傾斜角度を変えることによって、弓状ガイド体４３６の前後の位置を変えることができる。
即ち、フラップ４３の下部側をできるだけフロントウィンド２１側に寄せることで、スクリーン３の引出口４２をフロントウィンド２１側に寄せることができる。これにより、引き出したスクリーン３を本質的にフロントウィンド２１の内面に沿わせることができる。このように、弓状ガイド体４３６及びフラップ４３は、引き出したスクリーン３を本質的にフロントウィンド２１の内面に沿わせる手段を構成する。
【００７６】
なお、スクリーン３の材質等によって弓状ガイド体４３６がなくても、スクリーン３をフロントウィンド２１の内面に沿わせることができる場合には、弓状ガイド体４３６を省略することもできる。
【００７７】
図３及び図５(ａ)に示すように、フラップ４３の正面板４３１の外面には、引出口４２から引き出したスクリーン３をフロントウィンド２１側へ係止する係止部材６が設けてある。係止部材６は、フラップ４３の長手方向の中央または中央付近に設けてある。なお、係止部材６を運転席側（図１(ａ)で紙面左側）に寄せて取り付けても良い。係止部材６は、二本の長い線材の間に取り付けられた幾段もの横線材で形成される引掛部６１を有している。引掛部６１は、係止部材６の長手方向に所要の間隔をおいて所要数（本実施例では複数、６箇所）設けてある。
【００７８】
係止部材６の上端部は、図３に示す軸ピン６２により回動自在に軸支されている。そして、係止部材６は、図１(ａ)の実線で示すように、使用時にフロントウィンド２１の上部側から回動させて下方へ伸ばした状態で設けることができる。そして、上記した引掛部６１に後述するスクリーン３のフック３１（図３も参照）を引っ掛けることにより、車両走行時の車体の揺れ等でスクリーン３がブラブラと揺れ動いて視界の邪魔になることを防止できる。引掛部６１はスクリーン３のフック３１を引っ掛けやすいように、側面視（図３参照）で車内側（運転席側）に凸状に出っ張って設けられている。
【００７９】
また係止部材６は、図２(ａ)の一点鎖線で示すように、不使用時に軸ピン６２を支点として上方に回動させることができる。なお、係止部材６を例えば入れ子式やスライド式にしてその長さを伸長させることができるようにしても良い。このような構造により、不使用時には、運転の邪魔になるように、ドライバーの視界の邪魔にならない位置（収容ケース４０側）に係止部材６を移動させることができる。係止部材６は、上記した弓状ガイド体４３６及びフラップ４３と同様、引き出したスクリーン３を本質的にフロントウィンド２１の内面に沿わせる手段を構成する。
【００８０】
図３及び図４に示すように、スクリーン３の下端縁には、幅方向全体に渡って例えば合成樹脂製の重り体３２が取り付けてある。フック３１は重り体３２の長手方向の中央または中央付近に設けてある。フック３１の背面側（車内側、運転席側）には、フック３１を摘みやすいように摘み部３１１が設けてあり、フック３１を摘んでスクリーン３を引き出すことができるように構成されている。なお、フック３１ではなく、スクリーン３の下部側を握って引き出すようにしても良い。
【００８１】
また図１(ｂ)及び図２に示すように、フロントウィンド２１内面の下縁部には、合成樹脂製の円形の吸盤２３が取り付けてある。吸盤２３には、スクリーン３のフック３１を引っ掛けることができる係止部である引掛部２３１が設けてある。この引掛部２３１でフロントウィンド２１全体を本質的に覆ったスクリーン３を係止する。
【００８２】
上記したように、引掛部２３１は吸盤２３に取り付けてあるため、フロントウィンド２１の所要の位置に固定できる。なお、引掛部２３１はフロントウィンド２１ではなく、運転席前方のダッシュボード上に取り付けることもできる。またその場合の引掛部２３１の固定方法としては、吸盤に限らず、ビスや接着といった他の固定手段も採用できる。
【００８３】
以上のような構成により、本実施例に係る車両用日除け装置１Ａでは、引き出したスクリーン３が室内後写鏡５１とフロントウィンド２１の間を通るように構成されている。つまり、巻取軸４１に巻き取られているスクリーン３を引き出した際に、スクリーン３が室内後写鏡５１の鏡面を覆うことがない。
【００８４】
（作  用）
以下、車両用日除け装置１Ａの作用を説明する。
まず、従来のサンバイザーを備えた車両への車両用日除け装置１Ａの取り付け方について説明し、次に取り付けた車両用日除け装置１Ａの使用方法について説明する。
【００８５】
［車両用日除け装置１Ａの取り付け方］
まず、運転席上方の天井部２２から既存のサンバイザーと室内後写鏡を取り外す。通常、サンバイザーは左右両側に二箇所設けてあるので、サンバイザーを取り外した後はサンバイザー取り付け用の孔が二箇所残る。そして、この孔を利用して、車両用日除け装置１Ａを取り付ける。
【００８６】
即ち、収容ケース４０上面（図１(ａ)及び図３参照）に設けてある二つの取付金具４４の位置を、上記したサンバイザー用の孔の位置に合わせ、取付金具４４，４４を天井部２２に取り付ける。更に、図１に示すように、フロントウィンド２１の内面下縁部に引掛部２３１を備えた吸盤２３を取り付ける。
【００８７】
その後、取付金具４４の角度調整軸４４０によって収容ケース４０の傾斜角度や位置を調整し、またフラップ４３のフラップ角度調整軸４３４によってフロントウィンド２１側のフラップ４３の角度を調整する。フラップ４３の角度を調整することにより、弓状ガイド体４３６の位置だけでなく、フラップ４３に設けてある係止部材６の位置も調整できる。したがって、フラップ４３の下部側をフロントウィンド２１寄りに位置させれば、引出口４２から引き出すスクリーン３の位置をできる限りフロントウィンド２１側に寄せることができる。この効果については後述する。
【００８８】
［車両用日除け装置１Ａの使用方法］
車両用日除け装置１Ａは、車両走行時に運転の妨げとなる太陽光の眩しさを遮る「サンバイザー」としてだけでなく、駐停車時にフロントウィンドから照りつける太陽光を遮って車内の温度上昇を抑制する「サンシェード」としても使用できる。
以下、「サンシェード」（駐停車時）、「サンバイザー」（車両走行時）の順でその使用方法を説明する。
【００８９】
(1) 「サンシェード」（駐停車時）としての使用
例えば真夏の炎天下の当たる場所に車を駐停車した場合、フロントウィンド２１越しに降り注ぐ太陽光によって車内の温度は容易に５０℃を超える。よって、図１(ｂ)及び図２の二点鎖線に示すように、フロントウィンド２１全体を本質的に覆うように、スクリーン３をフロントウィンド２１の下端部まで引っ張る。そして、スクリーン３のフック３１を上記した吸盤２３を備えた引掛部２３１に引っ掛けながら、巻取装置４のクラッチ構造を利用してスクリーン３をその長さで止める。これにより、フロントウィンド２１から降り注ぐ太陽光をスクリーン３によって遮る。
【００９０】
なお、上記したように、スクリーン３をフロントウィンド２１の内面に沿わせれば、スクリーン３とフロントウィンド２１間の隙間をできる限り無くすことができる。これにより、隙間にある空気が太陽光で熱せされることによって、室内の温度上昇が助長されることを防止できる。
【００９１】
また、使用後はスクリーン３を引掛部２３１から外した後、スクリーン３を勢い良く下げるだけで、上記したクラッチ構造によりスクリーン３は収容ケース４０内に自動的に巻き取られる。
【００９２】
このように、本実施例に係る車両用日除け装置１Ａによれば、駐停車の度に開いたり畳んだりする必要があった従来の板状の「サンシェード」と比べ、スクリーン３を上げ下げする簡単な操作でその設置または解除ができる。このように、設置または解除が面倒ではないので、短時間の駐停車が多く、配送業務に忙しいトラックなどの運送業者にとって、特に業務中での使用に好適である。
【００９３】
なお、スクリーン３を車内の目隠し代わりに使用できることは言うまでもない。引っ越し業者や宅配便等のように、お客様と現金の受け渡しも行う運送業者にとっては、スクリーン３を目隠し代わりにすることで、車外から見られることなく現金の整理ができるので、防犯上好ましい。
【００９４】
(2) 「サンバイザー」（車両走行時）としての使用
車両用日除け装置１Ａをサンバイザーとして使用する場合は、まず、収容ケース４０（図１(ａ)参照）の正面に設けてある係止部材６を下方に（フラップ４３に対してほぼ直角に）回動させる。そして、スクリーン３の下端部を持って所望の長さまで引き出し、フロントウィンド２１の上部側から下方へ伸ばした状態の係止部材６に引っ掛けて止める（図３も参照）。具体的には、スクリーン３下端部のフック３１を係止部材６の所要の高さ位置の引掛部６１に引っ掛けて止める。
【００９５】
引き出すスクリーン３の長さは、ドライバーの目の高さや太陽の位置等に応じて自由に調整できる。例えば太陽が高い位置にある昼間はスクリーン３をそれほど引き出す必要がないが、太陽が低い位置にある夕暮れ時などは、スクリーン３を十分に引き出して日差しを遮るようにする。
【００９６】
また、不使用時には、係止部材６からフック３１を取り外してスクリーン３を勢い良く下げれば、上記したクラッチ構造によりスクリーン３は自動的に収容ケース４０内に巻き取られる。
【００９７】
更に、上記したように、スクリーン３は本質的にフロントウィンド２１の幅方向全体に渡って配置されるようになっている。これにより、室内後写鏡５１との間に若干隙間が空くように隣接して取り付けてあった従来のサンバイザーと相違して、室内後写鏡５１とスクリーン３の間から太陽光が車内に差し込むようなことはない。
【００９８】
また特許文献１記載のものでは既存のサンバイザーに巻取装置４が取付けられているため、サンバイザーの重量が必然的に重く、走行中のサンバイザーの操作性が悪かった。これらに対し、本実施例ではスクリーン３自体がサンバイザーとして作用するため、比較的軽い操作力でサンバイザーを設置できる。
【００９９】
更に特許文献１記載のものは、走行中にサンバイザーを手前に倒すと、収納ケースの端部が室内後写鏡にあたって走行中に室内後写鏡が傾く恐れがあった。これに対し本実施例では、そもそも既存のサンバイザーは必要ないので、そのような不都合は生じない。
【０１００】
また更に、室内後写鏡５１とフロントウィンド２１の間をスクリーン３が通るように構成されており、引き出したスクリーン３で室内後写鏡５１の鏡面が覆われることはない。したがって、走行中にスクリーン３を操作しても、室内後写鏡５１による車両後方の視認に支障をきたすようなことはない。
【０１０１】
以上説明したように、本実施例に係る車両用日除け装置１Ａは、太陽からの日差しをより確実に遮る「サンバイザー」としての機能を向上させたものであり、駐停車時には車内への日差しを遮る「サンシェード」としても使用することもできる。
【０１０２】
なお、本実施例では、従来のサンバイザーを備えた車両への取り付け方について説明したが、自動車メーカーによる製造の段階で、予め車両に車両用日除け装置１Ａを組み込んだ状態で取り付けるようにしても良い。
【０１０３】
また本実施例では、クラッチ構造を有する巻取装置４を採用したが、クラッチ構造を有さない巻取装置を採用することもできる。例えば手で引っ張って引き出したスクリーン３から手を離すことにより、スクリーン３はその位置で止まらずに、自動的に巻取軸４１に巻き取られるようにした公知の巻取装置を採用することもできる。
【０１０４】
その場合は、スクリーン３を所望する位置に止めておく必要があるため、スクリーン３のフック３１を係止部材６の引掛部６１や吸盤２３の引掛部２３１に引っ掛けて止めるようにすれば良い。この場合は、この引掛部６１や引掛部２３１、あるいはスクリーン３のフック３１が引き出すスクリーン３の長さを調整できる引き出し長さ調整要素を構成する。
【０１０５】
また図２に示すように、本実施例ではスクリーン３のロール体３０がフロントウィンド２１の直ぐ近くに配置されているが、フロントウィンド２１から離した位置（車内後方側）に配置することもできる。その場合、巻取装置４もフロントウィンド２１から離れることになるが、スクリーン３をフロントウィンド２１の内面に沿わせたい場合には、弓状ガイド体４３６が設けてあるフラップ３はそのままフロントウィンド２１の近くに配置することもできる。
【実施例２】
【０１０６】
図６ないし図８は、本発明に係る車両用日除け装置の第２の実施例を示す説明図である。
図６は、車内に取り付けた車両用日除け装置を断面して内部構造を表した側面視拡大説明図、
図７は、係止部材の係止構造を説明するための車両用日除け装置の部分拡大正面視説明図であり、長手方向の一部を省略して表している。
図８は係止部材の基部側を一部断面して表した側面視説明図であり、図８(ａ)は係止部材全体を示し、図８(ｂ)は係止部材の基部側を拡大して示している。
【０１０７】
なお、実施例１と同一または同等箇所には同一の符号を付して示している。また、実施例１で説明した箇所については、説明を省略し、主に相異点を説明する。
【０１０８】
図６に示すように、本実施例に係る車両用日除け装置１Ｂでは、収容ケース４０ｂの背面側（車内側）がスクリーン３のロール体３０の外形に合わせて断面円弧状に形成されている。これにより、収容ケース４０ｂの車内側への出っ張りをできるだけ減らすことができる。また、それに合わせて室内灯５２ｂが側面視でやや丸みをつけて形成されている。
【０１０９】
また、収容ケース４０を車内に取り付ける取付金具４４は、その締付固定具４４１側に角度調整用の軸ピン４４４を備え、取付金具４４の角度調整の自由度をより向上させている。
【０１１０】
更に実施例１（図３参照）では、係止部材６に対してスクリーン３のフック３１を下方から引っ掛けて止めるように構成しているが、本実施例（図６参照）では上方から引っ掛けて止めることができる構造にフック３１ａが形成されている。
【０１１１】
また更に図７に示すように、係止部材６ａは回動可能に構成されているが、走行中など振動によって収容ケース４０側に移動させた係止部材６ａが下に落ちてこないように、フラップ４３及び係止部材６ａには、係止部材６ａを確実に収容ケース４０側に掛止しておく固定機能が設けてある。
【０１１２】
即ち、図７に示すように、収容ケース４０のフラップ４３のうち、係止部材６ａの基部側近傍（係止部材６ａが下方へ回動する軌跡上）には、略半円形状の係止部である係止突起４３７（図８ｂも参照）が設けてある。そして、収容ケース４０側に水平状態で移動させてある係止部材６ａは、この係止突起４３７を乗り越えないと下方に回動させることができないようになっている。
【０１１３】
詳しく説明すると、図８(ｂ)に示すように、係止部材６ａの基端部に設けてある軸ピン６２は、凹部６２０から収容ケース４０の正面板４３１へ貫通させて設けてある。更に軸ピン６２の凹部６２０側には、付勢手段であるコイルバネ６２１（圧縮コイルバネ）が挿設されている。
【０１１４】
このような構造により、図７の一点鎖線で示す水平状態から係止部材６ａを下方に回動させると、係止部材６ａ基部側の側面部６３が係止突起４３７に当たるようになるが、やや力を加えて回動させることによって、係止部材６ａの基端部がコイルバネ６２１の付勢力に抗して収容ケース４０の表面から少し浮き上がながら係止突起４３７の上を乗り越えて回動する。なお、係止部材６ａを上方に移動させる際も、同様にやや力を加えて上方に回動させれば良い。
【０１１５】
更に図７に示すように、収容ケース４０のフラップ４３には、係止突起４３７と協働して係止部材６ａの基端部を挟み込むような位置に、正面視方形状で突状の止め具４３８，４３９（図８(ｂ)も参照）が設けてある。止め具４３８，４３９は水平状態に移動させた状態の係止部材６ａの上方と、下方に回動させた状態の係止部材６ａの側方（図７で紙面右側）の二箇所にそれぞれ設けてある。
【０１１６】
この止め具４３８，４３９により、係止部材６ａを水平状態と垂下状態に保ったまま上下動したり左右にズレたりしないように止めておくことができる。これにより、車両走行時の振動によって係止部材６ａが揺れて音が発生することを防止できる。
【０１１７】
その他の作用・効果は、既に説明した実施例１と大体において同じであるため、説明を省略する。
【実施例３】
【０１１８】
図９ないし図１１は、本発明に係る車両用日除け装置の第３の実施例を示す説明図である。
なお、実施例１と同一または同等箇所には同一の符号を付して示している。また、実施例１で説明した箇所については、説明を省略し、主に相異点を説明する。
【０１１９】
図９は、車内に取り付けた車両用日除け装置を運転席側から見た説明図であり、スクリーンをフロントウィンドの下端側まで引き出した状態を示している。なお、図９ではハンドル２を含む車両を一点鎖線で図示している。
【０１２０】
本実施例に係る車両用日除け装置１Ｃでは、フロントウィンド２１の各側方枠（以下、「フロントピラー２４，２４」と言う）に案内部材であるガイドレール７，７が配置されている。このガイドレール７，７にスクリーン３先部側の両端縁をそれぞれ案内させることで、スクリーン３を本質的にフロントウィンド２１の内面に沿わせて引き出すことができる。
【０１２１】
図１０は、案内部材に沿って移動する移動体を説明するために、スクリーンの下端部の一端部（図９で紙面右端側）と案内部材を拡大して示した一部断面説明図である。
図１１の(ａ)ないし(ｃ)は、図１０のI−I部分、II−II部分及びIII−III部分のそれぞれ対応する断面を示す概略説明図である。
【０１２２】
以下、車両用日除け装置１Ｃの各構成部材について、順を追って詳しく説明する。
図９に示すように、案内部材であるガイドレール７，７は、フロントウィンド２１の左右両側に位置する各フロントピラー２４，２４に配置され、フロントウィンド２１の上部側から下部側に向かって設けてある。
【０１２３】
図１０に示すように、各ガイドレール７はネジやビス等の締付固定具７１でフロントウィンド２１に固定されているが、自動車メーカーによる製造の段階で、予めフロントピラー２４にガイドレール７を組み込んだ状態で配置しても良い。図１１(ｃ)に示すように、ガイドレール７は断面略コ状に形成されている。
【０１２４】
一方、図９に示すように、スクリーン３の下端縁には、幅方向全体に渡って筒状（パイプ状）の案内部材であるガイド管３３（図１０、図１１(ａ)も参照）が設けてある。図１０に示すように、このガイド管３３の左右両側の各内部には、両端部の開口部３３０，３３０（図１０では紙面左側の開口部３３０は表れず）から外方へ進退可能にスライドする薄板状の棒状体であるスライド体８，８（図１１(ｃ)も参照）が挿設されている。
【０１２５】
そして、この各スライド体８の先端に、上記ガイドレール７に沿って移動する移動体８１が取り付けてある。各移動体８１は、ガイドレール７内を走行する走行体である回転体８１１を所要数（本実施例では各移動体８１に複数、四箇所）有する。図１１(ｃ)に示すように、回転体８１１の周面部には、ガイドレール７，７内に連続的に設けてある突条体７２に嵌合する凹部である周面ガイド８１２が設けてある。
【０１２６】
なお、本実施例では回転体８１１を移動体８１側に設けているが、ガイドレール７側に設けることもできる。これについては、後述するスライド体８基端部の回転体８１３についても同様である。
【０１２７】
回転体８１１を有する移動体８１は、スライド体８に対して軸ピン８２を介して角度自在に設けてある。これにより、図１１(ｃ)の二点鎖線で示すように、スライド体８はガイドレール７，７に対する角度を調整できる。したがって、ガイドレール７，７の長手方向とスライド体８の長さ方向が必ずしも直角に交差していなくても、ガイドレール７，７内を移動体８１が支障なく移動するようになっている。
【０１２８】
また図１０及び図１１(ａ)に示すように、各スライド体８の基端側（ガイド管３３に挿設されている側）には、ガイド管３３内を走行する走行体である回転体８１３が所要数（本実施例では各スライド体８に複数、二箇所）設けてある。回転体８１３の周面部には、先端側の移動体８１に設けてある上記回転体８１１と同様、ガイド管３３内に連続的に設けてある突条体３３１に嵌合する凹部である周面ガイド８１２が設けてある。
【０１２９】
更に図１０及び図１１(ｃ)に示すように、ガイド管３３の開口部３３０側には、スライド体８を取り囲むようにしてガイド体であるガイドローラ３３２が所要数（本実施例では複数、上下左右側に計四箇所）配置されている。この上記したスライド体８の回転体８１１とガイドローラ３３２，３３２，３３２，３３２によって、スライド体８はガイド管３３内を円滑にスライドするようになっている。
【０１３０】
このように、スクリーン３の左右両側にそれぞれ設けてある移動体８１，８１のうち、一方の移動体８１と他方の移動体８１の間隔は、フロントウィンド２１の左右両側にそれぞれ配置されガイドレール７，７間の距離に合わせて変化させることができるように構成されている。
【０１３１】
（作  用）
車両用日除け装置１Ｃは次のように作用する。
図９に示すように、本実施例では、スクリーン３先部側の両端縁をフロントピラー２４，２４に設けてあるガイドレール７，７に案内させることで、スクリーン３を本質的にフロントウィンド２１の内面に沿わせて引き出すことができる。
【０１３２】
即ち、駐停車時にスクリーン３を「サンシェード」として使用する場合は、スクリーン３を単にフロントウィンド２１の下端部まで引き出せば良く、また車両走行時にスクリーン３を「サンバイザー」として使用する場合は、ドライバーの所望する位置までスクリーン３を引き出せば良い。
なお、車両用日除け装置１Ｃの巻取装置には上記したクラッチ構造が採用されているため、スクリーン３を引っ張っていた力を解除すれば、所要の位置でスクリーン３を止めることができる。
【０１３３】
スクリーン３の下端部を掴んで下方に引っ張れば、先端のガイド管３３に挿設してある各スライド体８，８が、フロントウィンド２１の横幅に対応して両側に移動する。これにより、フロントウィンド２１の幅が変化しても、スクリーン３を常にフロントウィンド２１の内面に本質的に沿わせることができる。
よって、本実施例では、実施例１（図１(ａ)参照）で収容ケース４０のフラップ４３に取り付けてあった係止部材６と、フロントウィンド２１に取り付けてあった引掛部２３１を有する吸盤２３を省略することができる。
【０１３４】
なお、クラッチ構造を有する巻取装置を採用しない場合は、実施例１（図１(ａ)参照）
と同様に、引掛部６１を有する係止部材６や、引掛部２３１を有する吸盤２３を採用することができる。
【０１３５】
また本実施例では、スライド体８をスライドさせてガイド管３３に対し進退させているが、スライド体８を入れ子式やスライド式にしてその長さを伸長させるようにしても良い。
【０１３６】
更に、図９に図示しているスクリーン３では幅方向の長さが同じであるため、車種によってはフロントウィンド２１の下部両側にスクリーン３では覆うことができない部分がやや発生する恐れもある。よって、これを防止するために、下部側の幅をやや広くとったスクリーンを採用することもできる。
【０１３７】
その場合、例えば幅を広くした両側部分を例えばアコーディオン式のカーテンのごとく折り畳み自在とし、スライド体８，８の進退に伴ってその両側部分が開いたり閉じたりすることによって、そのスクリーンの幅を変化させることを可能にした構造を採用することもできる。
【０１３８】
その他の構成及び作用・効果は、既に説明した実施例１、２と大体において同じであるため、説明を省略する。
【０１３９】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【０１４０】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【０１４１】
【図１】本発明に係る車両用日除け装置の第１の実施例を示しており、車内に取り付けた車両用日除け装置を車両正面側から見た説明図。
【図２】車内に取り付けた車両用日除け装置を断面して内部構造を表した側面視説明図。
【図３】図２に示す車両用日除け装置の拡大側面視説明図。
【図４】収容ケースに収容されたスクリーンを示す概略斜視説明図。
【図５】車両用日除け装置の拡大説明図。
【図６】本発明に係る車両用日除け装置の第２の実施例を示ししており、車内に取り付けた車両用日除け装置を断面して内部構造を表した側面視拡大説明図
【図７】係止部材の係止構造を説明するための車両用日除け装置の部分拡大正面視説明図。
【図８】係止部材の基部側を一部断面して表した側面視説明図。
【図９】本発明に係る車両用日除け装置の第３の実施例を示しており、車内に取り付けた車両用日除け装置を運転席側から見た説明図。
【図１０】スクリーンの下端部の一端部と案内部材を拡大して示した一部断面説明図。
【図１１】図１０のI−I部分、II−II部分及びIII−III部分のそれぞれ対応する断面を示す概略説明図。
【符号の説明】
【０１４２】
１Ａ, １Ｂ, １Ｃ 車両用日除け装置
２ ハンドル
３ スクリーン
４ 巻取装置
６, ６ａ 係止部材
７ ガイドレール
８ スライド体
２０ ハンドル
２１ フロントウィンド
２２ 天井部
２３ 吸盤
２４ フロントピラー
３０ ロール体
３１，３１ａ フック
３２ 重り体
３３ ガイド管
４０，４０ｂ 収容ケース
４１ 巻取軸
４２ 引出口
４３ フラップ
４４ 取付金具
４５ スライドフレーム
５１ 室内後写鏡
５２，５２ｂ 室内灯
６１ 引掛部
６２ 軸ピン
６３ 側面部
７１ 締付固定具
７２ 突条体
８１ 移動体
８２ 軸ピン
２２１ 孔
２３１ 引掛部
３１１ 摘み部
３３０ 開口部
３３１ 突条体
３３２ ガイドローラ
４３１ 正面板
４３２ 左側面板
４３３ 右側面板
４３４ フラップ角度調整軸
４３５ ガイドローラ
４３６ 弓状ガイド体
４３７ 係止突起
４３８，４３９ 止め具
４４０ 角度調整軸
４４１ 締付固定具
４４２ 可動体
４４３ ナット
４４４ 軸ピン
４５１ スライド溝
５１１ 軸ピン
５２１ スイッチ
６２０ 凹部
６２１ コイルバネ
８１１ 回転体
８１２ 周面ガイド
８１３ 回転体
【図１】
2007045188.tif 000003
【図２】
2007045188.tif 000004
【図３】
2007045188.tif 000005
【図４】
2007045188.tif 000006
【図５】
2007045188.tif 000007
【図６】
2007045188.tif 000008
【図７】
2007045188.tif 000009
【図８】
2007045188.tif 000010
【図９】
2007045188.tif 000011
【図１０】
2007045188.tif 000012
【図１１】
2007045188.tif 000013